(57)【要約】      （修正有）【課題】帽子に付ける首飾り状のものにし、耳の後ろ部分に取り付けることで耳にかかり、飾り本体の重みも利用して風で飛ぶのを防止した帽子の首飾り状アクセサリーを提供する。【解決手段】帽子をかぶった時に耳の後ろに首飾り状の紐等がかかるように帽子の頭周りのテープのところに留め金をかけ、首や胸の辺りにたらして飾る首飾り状のアクセサリーである。テープにかける留め金はテープを正面・斜めの角度から挟むもので、かみ合わせ部分の一方を外側にずらし突起状部分で強く抑えられるようにする。取り付ける位置を耳の後ろにすることで帽子が脱げにくくなり、首飾り状の本体の重さは帽子が飛ばされるのを防止する。軽い紐状の物には、紐に飾りを通したり吊るしたりして飾ることで個性的になり、その重さが風で飛ばされるのを防ぐのに役立つ。【選択図】図１
0003137818.tif 000002
【実用新案登録請求の範囲】
【請求項１】
本考案は、帽子をかぶった時に耳の後ろに首飾り状の紐等がかかるように帽子の頭周りのテープのところに留め金をかけ、首や胸の辺りにたらして飾る首飾り状のアクセサリーである。留め金はテープを正面・斜めの角度から挟めるように、かみ合わせ部分である一方を広めにずらし突起状部分で強く抑えられるようにする。耳の後ろに取り付けることで帽子が脱げにくくなり、首飾り状の本体の重さは帽子が飛ばされるのを防止することができる。又、頭周りのテープのところに取り付けた金具と紐状のところが取り外せるように口の開く金具を付ける。軽い紐状の物には、紐に飾りを通したり吊るしたりして飾ることで個性的になり、その重さが風で飛ばされるのを防ぐのに役立つ。帽子と服をつなぐには止めやすい服に限られたり、顎でとめるものなどは汗によって喉部分の肌を痛めたりすることがある。これらの帽子止めの問題点を解決した帽子に付ける首飾り状のアクセサリーである。
【考案の詳細な説明】
【技術分野】
【０００１】  本考案は、風で帽子がとばされるのを防止するのに役立つ、帽子に取り付ける首飾り状のアクセサリーに関するものである。
【背景技術】
【０００２】  帽子に取り付けるネックレス状の装飾品がなかった。帽子につける紐状のものは服と帽子を止める帽子止めや、顎で止めるゴム状の物であった。帽子止めは止めやすい服を着用しなければならなかったり、喉などで止めるゴム状のものなどは汗などによって肌を痛めたりすることもあった。本考案は、帽子に取り付ける首飾り状のアクセサリーで装飾の工夫が広がり、本体の重さや首にかけることによって帽子が飛ぶのを防止することができる取り付け型首飾りのアクセサリーである。
【考案の開示】
【考案が解決しようとする課題】
【０００３】  服に止める帽子止めは首周りの大きく開いた服には使用できず、ゴム紐などは顎・喉部分で止めるため、不快感の起こることがある。帽子に付ける首飾り状のものにし、耳の後ろ部分に取り付けることで耳にかかり、飾り本体の重みも利用して風で飛ぶのを防止した帽子の首飾り状アクセサリーに関するものである。
【課題を解決するための手段】
【０００４】  本考案は、帽子をかぶった時に耳の後ろに首飾り状の紐等がかかるように帽子の頭周りのテープのところに留め金をかけ、首や胸の辺りにたらして飾る首飾り状のアクセサリーである。耳の後ろに取り付けることで帽子が脱げにくくなり、首飾り状の本体の重さは帽子が飛ばされるのを防止する。軽い紐状の物には、紐に飾りを通したり吊るしたりして飾ることで個性的になり、その重さが風で飛ばされるのを防ぐのに役立つ。帽子に付けるアクセサリーであり、帽子止めの問題点を解決したものでる。
【考案の効果】
【０００５】  帽子の頭周りのテープに取り付けるもので、テープがある帽子ならばどれにでも取り付けられる。耳の後ろの部分に取り付け、首周りや胸元までくる長さの首飾りにすることで、ペンダント等の代わりになる帽子止めのアクセサリーである。
【考案を実施するための最良の形態】
【０００６】  頭周りのテープに引っ掛ける留め金を両端に付けるが、片方は紐状のところで外れるようにして、リング等を通せるようにする。留め金に貴金属や紐状・帯状などのものをつなげネックレル状にし、更に自在に玉や指輪・小物を付けることができるようにする。
【実施例】
【０００７】  以下、添付図面に従って本発明の実施例について説明する。本体部分の留め金１ａ・１ｂ・２ａ・２ｂは３の棒状部分の正面と外側斜め側面部で頭周りのテープを押さえて挟みこむ。４はつなぎ部分をカバーし、テープを通しやすくさせる。６の部分をつぼめ、５を丸形にしてチェーンがつなげるようにする。７・１１は貴金属・繊維素材等の物などで紐・帯・チェーン状等の首飾りである。８の部分でかけている留め金と取り外しができるようにし、リングなどを通せるようにする。又、７の部分が軽い場合やアクセントとなるように９・１０のようにリングや小物を付けたり、１１のように、本体自体に重みをもつ装飾にする。１２のように耳の後ろ部分を通り首や胸元まで下がる長さにする。帽子が飛ぶのを防ぐのに役立つ帽子に取り付ける首飾りである。
【産業上の利用可能性】
【０００８】（イ）頭周りのテープがある帽子に取り付けられる。
（ロ）帽子と服をつないだり顎にひっかけずに、帽子が飛ぶのを防止できる。
（ハ）リングや小物類を吊るすことができる。
（ニ）男・女・小人・大人誰もが使用できる。
【図面の簡単な説明】
【０００９】
【図１】頭周りテープに取り付ける金具付き首飾り図。
【図２】金具部分をテープに取り付けた時の状態の図。
【図３】かける金具部分の右側面図。
【図４】首飾りの紐状と重りの役割も担うアクセサリー図。通すもの。
【図５】首飾りの紐状と重りの役割も担うアクセサリー図。吊るすもの。
【図６】ネックレス状のアクセサリー図。
【図７】帽子に取り付け装着した図。耳の後ろから首・胸元にくる長さにする。
【図８】帽子に取り付け装着した図。耳の後ろから首・胸元にくる長さにする。
【符号の説明】
【０００１０】１ａ・１ｂ  挟み止める部分          １０          吊るす装飾品  小物等
２ａ・２ｂ  挟み止める部分          １１          首飾り部分  チェーンなど
３          挟む部分                １２          装着時のアクセサリー図
４          繋ぎ部分に巻くカバー
５          輪状  チェーンを通す部分
６          つぼめる部分
７          首飾り部分  紐状など
８          輪型の開閉できる金具
９          リングなどの装飾品
【図１】
0003137818.tif 000003
【図２】
0003137818.tif 000004
【図３】
0003137818.tif 000005
【図４】
0003137818.tif 000006
【図５】
0003137818.tif 000007
【図６】
0003137818.tif 000008
【図７】
0003137818.tif 000009
【図８】
0003137818.tif 000010
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
帽子取り付け型首飾りにおいて、
（１）留め金は帽子の頭周りのテープを正面・斜めの角度から挟めるように、かみ合わせ部分である一方を広めにずらし突起状部分で強く抑えられるようにしたものであり、
（２）上記頭周りのテープのところに取り付けた金具と紐状の物とが取り外せるように口の開く金具を付けたものであり、
以上を特徴とする帽子取り付け型首飾り。
【請求項２】
上記紐状の物が軽いものであるときには、紐に飾り物を通したり、吊るしたりして飾ることを特徴とする請求項１に記載の帽子取り付け型首飾り。